【事件の表示】
　特願２００９−　６４４０２「有機発光素子及びこれを備える有機発光表示装置」拒絶査定不服審判事件〔平成２１年１０月　１日出願公開、特開２００９−２２４３３１〕について、次のとおり審決する。
【結　論】
　本件審判の請求は、成り立たない。
【理　由】
第１　手続の経緯
　本願は、平成２１年（２００９年）３月１７日（パリ条約による優先権主張　平成２０年３月１８日　大韓民国）の出願（特願２００９−６４４０２号）であって、平成２３年４月２１日付けで拒絶理由が通知され、同年７月２５日付けで意見書が提出されるとともに、同日付けで手続補正がなされ、同年８月１２日付けで拒絶査定がなされ、これに対して、同年１２月２６日に拒絶査定不服審判の請求がなされ、同時に手続補正がなされたものである。
　その後、平成２４年９月１８日付けで前置報告書の内容について請求人の意見を求める審尋がなされ、同年１２月２５日付けで回答書が提出された。
　
第２　本願の請求項１に係る発明
　平成２３年１２月２６日付けの手続補正による特許請求の範囲の補正は、請求項の削除を目的とする補正であり、適法な補正である。
　よって、本願の請求項１に係る発明（以下「本願発明」という。）は、平成２３年１２月２６日付け手続補正により補正された特許請求の範囲の請求項１に記載された事項により特定される次のとおりのものである。
　
「酸化インジウムタングステン（ＩＷＯ）を含む第１電極と、
　前記第１電極上に形成される有機発光層と、
　前記有機発光層上に形成される第２電極と、を備え、
　前記第１電極は、第１層、前記第１層上に形成された第２層、前記第２層上に形成された第３層を備え、前記第１層は、ＩＷＯを含み、前記第２層は、前記第１層の前記有機発光層に向かう方向に形成され、前記有機発光層で発生した光を反射できるように反射層として備えられ、前記第３層は、前記第２層と前記有機発光層との間に配置されてＩＷＯを含む有機発光素子。」
　
第３　引用例
１　原査定の拒絶の理由に引用され、本願の優先日前に頒布された刊行物である特開２００７−１８８８９５号公報（以下「引用例１」という。）には、図面とともに、次の事項が記載されている。（下記「２　引用例１に記載された発明の認定」において直接引用した記載に下線を付した。）
　
「【０００１】
　本発明は、有機発光層を備えて構成される
有機エレクトロルミネッセンス素子
　
「【００１７】
＜表示装置−１＞
　図１は第１実施形態の表示装置における表示領域の概略構成を示す要部断面図である。この図に示す表示装置１は、有機ＥＬ素子を発光素子として配列形成したアクティブマトリックス型の表示装置である。
【００１８】
　この表示装置１は、基板３上の各画素に薄膜トランジスタ（thin film transistor：以下、ＴＦＴと記す）４を備えている。ＴＦＴ４が形成された基板３上には、ＴＦＴ４のソース・ドレインに接続された配線５が形成され、この配線５を覆う状態で平坦化絶縁膜７が設けられている。尚、ＴＦＴ４は、図示したボトムゲート型に限定されることはなく、トップゲート型であっても良く、そのゲート電極は走査回路に接続されていることとする。
【００１９】
　そして、この平坦化絶縁膜７上の各画素開口Ａ部分に、
下部電極９、有機層１１、および上部電極１３を積層してなる有機ＥＬ素子１５
　
「【００２６】
　また、表示装置１が上面発光型である場合、下部電極９には、アルミニウム（Ａｌ）、銀（Ａｇ）、銀（Ａｇ）を主成分とする銀合金、クロム（Ｃｒ）等の光反射性の良好な金属材料を用いることで、上部電極１３側に発光光を反射させることが好ましい。特に、銀（Ａｇ）または銀合金を用いることにより、より多くの発光光を反射させることができるため、好ましい。
【００２７】
　また、この場合、
下部電極９の表面を平坦化することを目的として、表面平坦性に優れた光透過性の導電性酸化材料層を、上述した金属材料層上に設けた
反射性の良好な金属材料層
【００２８】
　
さらに、金属材料層の下部には、下地となる平坦化絶縁膜７との密着層として導電性酸化材料層を設け、金属材料層を導電性酸化材料層で狭持してなる３層構造としても良い。
【００２９】
　尚、この下部電極９は、陽極または陰極として用いられ、どちらとして用いられるかによって適切な仕事関数を備えた材料が選択して用いられることとする。例えば、この下部電極９が陽極として用いられる場合には、有機層１１に接する最上層には、仕事関数が大きい材料をホール注入層として用いることとする。このため、上述した２層構造または３層構造で下部電極９を構成する場合、仕事関数が大きく光透過性の良好な
ＩＴＯ（Indium Tin Oxide）やＩＺＯ（Indium Zinc Oxide）等の酸化インジウムが、最上層の導電性酸化材料層として用いられる。また、金属材料層と平坦化絶縁膜７との密着層として設けられる導電性酸化材料層としても、ＩＴＯやＩＺＯが用いられる。
【００３０】
　以上から、陽極として用いられる下部電極９および補助配線９ａの構成として、ＩＴＯからなる導電性酸化材料層の間に銀（Ａｇ）からなる金属材料層を狭持してなる３層構造が例示される。」
　
２　引用例１に記載された発明の認定
　上記記載を総合すれば、引用例１には、
「下部電極９、有機層１１、および上部電極１３を積層してなる有機ＥＬ素子１５であって、
　下部電極９は、反射性の良好な金属材料層の上に表面を平坦化することを目的として、表面平坦性に優れた光透過性の導電性酸化材料層を設け、さらに、金属材料層の下には、下地層との密着層として導電性酸化材料層を設け、金属材料層を導電性酸化材料層で狭持してなる３層構造とし
　導電性酸化材料として、ＩＴＯやＩＺＯが用いられる有機ＥＬ素子１５。」の発明（以下「引用発明」という。）が記載されている。
　
１　原査定の拒絶の理由に引用され、本願の優先日前に頒布された刊行物である特開２００２−２３１０５４号公報（以下「引用例２」という。）には、図面とともに、次の事項が記載されている。（下線は、当審において付した。）
　
「【０００１】
【発明の属する技術分野】本発明は透明電極材料、この透明電極材料を用いた電子素子、および前記透明電極材料を用いた透明電極の製造方法に係り、特に、金属酸化物系の透明電極材料、この透明電極材料と電荷輸送層とを利用した電子素子、および金属酸化物系の透明電極の製造方法に関する。
【０００２】
【従来の技術】複写機やプリンタに使用される感光体、あるいは有機ＥＬ素子等においては、電極上に直接、または電荷発生層を介して、電荷輸送層が設けられている。この電荷輸送層は、従来より、固体の有機材料によって形成されている。
【０００３】近年、電荷輸送材料であると共に液晶材料でもある材料（以下、この材料を「電荷輸送液晶材料」という。）や、電荷輸送液晶材料であると共に蛍光材料でもある材料が開発され、これらの電荷輸送材料を利用した光センサ、画像表示素子、画像記録素子、空間光変調素子、トランジスタ、発光素子等の電子素子が提案されている（例えば特開平１１−１４４５２６号公報、特開平１１−１９９８７１号公報、特開平９−３１６４４２号公報参照）。
【０００４】例えば液晶表示装置で使用されるセル容器の製造技術を利用して平板状の容器を作製し、この容器内に電荷輸送液晶材料を充填することにより、機械的強度および対環境安定性が比較的高く、均質で大面積の電荷輸送層を比較的容易に形成することができる。
【０００５】ところで、電荷輸送層を利用した光センサ、画像表示素子、画像記録素子、情報記録素子、空間光変調素子、発光素子等においては、透明電極と電荷輸送層とが直接または電荷発生層を介して隣接する。
【０００６】透明電極は、例えば金（Ａｕ）、アルミニウム（Ａｌ）、銀（Ａｇ）、パラジウム（Ｐｄ）、白金（Ｐｔ）等の金属の薄膜によって形成することもできるが、一般には金属酸化物によって形成される。
【０００７】
透明電極に利用される金属酸化物
【０００８】
　透明電極と電荷輸送層とを利用した電子素子においても、一般にはＩＴＯによって透明電極が形成される。ただし、電荷輸送層を固体材料によって形成したタイプの有機エレクトロルミネッセンス素子においては、通常、陽極材料としてのみＩＴＯが利用され、陰極材料としては４ｅＶ程度以下の仕事関数を有する金属材料もしくは合金材料が利用される。
【０００９】
【発明が解決しようとする課題】電極と電荷輸送層とが直接または電荷発生層を介して隣接される電子素子において、電極から電荷発生層または電荷輸送層への電荷注入特性を向上させることができれば、より低電圧での駆動が可能になる。また、印加電圧に対する電子素子の応答性を向上させることが可能になる。
【００１０】本発明の目的は、電荷注入特性の高い透明電極材料を提供することである。
【００１１】本発明の他の目的は、電荷輸送層と電荷注入特性の高い透明電極とを備えた電子素子を提供することである。
【００１２】本発明の更に他の目的は、電荷注入特性の高い透明電極の製造方法を提供することである。
【００１３】
【課題を解決するための手段】本発明の一観点によれば、インジウム（Ｉｎ）およびモリブデン（Ｍｏ）を含有する酸化物であり、ＩＴＯよりも高い仕事関数を有する透明電極材が提供される。
【００１４】本発明の他の観点によれば、
インジウム（Ｉｎ）およびタングステン（Ｗ）を含有する酸化物
【００１５】本発明の更に他の観点によれば、基板と、前記基板上に、インジウム（Ｉｎ）およびモリブデン（Ｍｏ）を含有する酸化物によって形成され、ＩＴＯよりも高い仕事関数を有する透明電極と、前記透明電極に直接または電荷発生層を介して隣接する電荷輸送層とを有する電子素子が提供される。
【００１６】本発明の更に他の観点によれば、基板と、前記基板上に、インジウム（Ｉｎ）およびタングステン（Ｗ）を含有する酸化物によって形成され、ＩＴＯよりも低い仕事関数を有する透明電極と、前記透明電極に直接または電荷発生層を介して隣接する電荷輸送層とを有する電子素子が提供される。
【００１７】本発明の更に他の観点によれば、中空の板状を呈する容器であって、互いに間隔をあけて対向配置された２枚の基板と、該２枚の基板のうちの一方の基板の内側面上にインジウム（Ｉｎ）およびモリブデン（Ｍｏ）を含有する酸化物によって形成され、ＩＴＯよりも高い仕事関数を有する第１の透明電極と、前記２枚の基板のうちの他方の基板の内側面上にインジウム（Ｉｎ）およびタングステン（Ｗ）を含有する酸化物によって形成され、ＩＴＯよりも低い仕事関数を有する第２の透明電極とを有する容器と、前記容器内に形成された電荷輸送層とを備えた電子素子が提供される。
【００１８】本発明の更に他の観点によれば、電圧印加手段を有する基板ホルダを備えたアーク放電イオンプレーティング装置の真空槽内に、インジウム（Ｉｎ）およびモリブデン（Ｍｏ）を含有する蒸発源を配置すると共に、前記基板ホルダに基板を装着する工程と、前記真空槽内を減圧雰囲気にし、前記蒸発源の近傍でアーク放電を生じさせて前記蒸発源を蒸発、イオン化させると共に、前記イオン化で生じたイオンを前記電圧印加手段に負バイアスを印加することで前記基板ホルダ側に電気的に吸引し、該電気的な吸引によって、インジウム（Ｉｎ）およびモリブデン（Ｍｏ）を含有し、ＩＴＯよりも高い仕事関数を有する酸化物によって構成される透明導電層を前記基板上に堆積させる工程とを含む透明電極の製造方法が提供される。
【００１９】本発明の更に他の観点によれば、電圧印加手段を有する基板ホルダを備えたアーク放電イオンプレーティング装置の真空槽内に、インジウム（Ｉｎ）およびタングステン（Ｗ）を含有する蒸発源を配置すると共に、前記基板ホルダに基板を装着する工程と、前記真空槽内を減圧雰囲気にし、前記蒸発源の近傍でアーク放電を生じさせて前記蒸発源を蒸発、イオン化させると共に、前記イオン化で生じたイオンを前記電圧印加手段に負バイアスを印加することで前記基板ホルダ側に電気的に吸引し、該電気的な吸引により、インジウム（Ｉｎ）およびタングステン（Ｗ）を含有し、ＩＴＯよりも低い仕事関数を有する酸化物によって構成される透明導電層を前記基板上に堆積させる工程とを含む透明電極の製造方法が提供される。
【００２０】インジウム（Ｉｎ）およびモリブデン（Ｍｏ）を含有し、ＩＴＯよりも高い仕事関数を有する酸化物（以下、この酸化物を「ＩＭＯ」と略記する。）を透明電極材料として用いることにより、電荷注入特性の高い透明電極を得ることが可能になる。
【００２１】また、
インジウム（Ｉｎ）およびタングステン（Ｗ）を含有し、ＩＴＯよりも低い仕事関数を有する酸化物（以下、この酸化物を「ＩＷＯ」と略記する。）を透明電極材料として用いる
【００２２】
ＩＭＯまたはＩＷＯを用いて電荷注入特性の高い透明電極を得る
【００２３】電荷輸送層を利用した電子素子を得るにあたって、電荷輸送層に直接または電荷発生層を介して隣接する透明電極をＩＭＯまたはＩＷＯによって形成することにより、ＩＭＯまたはＩＷＯから電荷輸送層へ効率よく電荷を注入することが可能になる。電極から電荷輸送層へ効率よく電荷が注入されれば、例えば、より低電圧で電子素子を駆動させることが可能になると共に、印加電圧に対する電子素子の応答性を向上させることができる。」
　
第４　本願発明と引用発明の対比、及び、当審の判断
１　ここで、本願発明と引用発明を対比する。
　
（１）引用発明における「金属材料層」の「上」及び「下」に「導電性酸化材料層」を設けた「下部電極９」と、本願発明の「酸化インジウムタングステン（ＩＷＯ）を含む第１電極」とは、「導電性酸化材料を含む第１電極」である点で一致する。
　また、引用発明の「下部電極９、有機層１１、および上部電極１３を積層してなる有機ＥＬ素子１５」における「有機層１１」及び「上部電極１３」が、それぞれ、本願発明の「前記第１電極上に形成される有機発光層」及び「前記有機発光層上に形成される第２電極」に相当する。
　
（２）引用発明の「金属材料層」の「下」の「導電性酸化材料層」と、本願発明の「ＩＷＯを含」む「第１層」とは、「導電性酸化材料を含」む「第１層」である点で一致する。
　引用発明の「反射性の良好な金属材料層」が、本願発明の「有機発光層で発生した光を反射できるように」「備えられ」た「反射層」に相当する。
　引用発明の「金属材料層」の「上」の「導電性酸化材料層」と、本願発明の「前記第２層と前記有機発光層との間に配置されてＩＷＯを含む」「第３層」とは、「前記第２層と前記有機発光層との間に配置されて導電性酸化材料を含む」「第３層」である点で一致する。
　よって、引用発明の「下部電極９は、反射性の良好な金属材料層の上に表面を平坦化することを目的として、表面平坦性に優れた光透過性の導電性酸化材料層を設け、さらに、金属材料層の下には、下地層との密着層として導電性酸化材料層を設け、金属材料層を導電性酸化材料層で狭持してなる３層構造とした」ことと、本願発明の「前記第１電極は、第１層、前記第１層上に形成された第２層、前記第２層上に形成された第３層を備え、前記第１層は、ＩＷＯを含み、前記第２層は、前記第１層の前記有機発光層に向かう方向に形成され、前記有機発光層で発生した光を反射できるように反射層として備えられ、前記第３層は、前記第２層と前記有機発光層との間に配置されてＩＷＯを含む」こととは、「前記第１電極は、第１層、前記第１層上に形成された第２層、前記第２層上に形成された第３層を備え、前記第１層は、導電性酸化材料を含み、前記第２層は、前記第１層の前記有機発光層に向かう方向に形成され、前記有機発光層で発生した光を反射できるように反射層として備えられ、前記第３層は、前記第２層と前記有機発光層との間に配置されて導電性酸化材料を含む」点で一致する。
　
（３）引用発明の「有機ＥＬ素子１５」が、本願発明の「有機発光素子」に相当する。
　
２　一致点
　したがって、本願発明と引用発明とは、
「導電性酸化材料を含む第１電極と、
　前記第１電極上に形成される有機発光層と、
　前記有機発光層上に形成される第２電極と、を備え、
　前記第１電極は、第１層、前記第１層上に形成された第２層、前記第２層上に形成された第３層を備え、前記第１層は、導電性酸化材料を含み、前記第２層は、前記第１層の前記有機発光層に向かう方向に形成され、前記有機発光層で発生した光を反射できるように反射層として備えられ、前記第３層は、前記第２層と前記有機発光層との間に配置されて導電性酸化材料を含む有機発光素子。」の発明である点で一致し、次の点で相違する。
　
３　相違点
　第１電極の第１，３層に用いられている「導電性酸化材料」が、本願発明においては「ＩＷＯ」であるのに対して、引用発明にいては「ＩＴＯ」や「ＩＺＯ」である点。
　
４　当審の判断
（１）相違点の検討
　有機発光素子の透明電極に用いられる導電性酸化材料として、「ＩＴＯ」や「ＩＺＯ」の他に、引用例２にも記載されているように「ＩＷＯ」も周知である。
　そして、透明電極の導電性酸化材料として具体的にどのような材料を採用するかは、各材料が備える特性（仕事関数、透明性、平滑性、電気抵抗、電荷注入性など）を勘案して当業者が適宜選択し得るものであるから、引用発明においても、導電性材料として「ＩＴＯ」や「ＩＺＯ」に換えて上記周知の「ＩＷＯ」を採用し、上記の相違点に係る本願発明の発明特定事項を得ることは、当業者が容易に想到し得たことである。
　
（２）そして、本願発明によってもたらされる効果は、引用発明及び周知技術から当業者が予測し得る程度のものである。
　本願発明の効果に関し、請求人が主張する「ＩＷＯを使用することによる、他部材との接着力の改善及びエッチング速度の向上」という効果についても、「他部材との接着力の改善」については、「下地層との密着層として導電性酸化材料層を設け」たことが特定されている引用発明が備えている作用効果以上のものではなく、また、「エッチング速度の向上」については、「ＩＷＯがエッチングに優れている」ことは、例えば、原査定において提示され、本願の優先日前に頒布された刊行物である特開２００７−２５８４４５号公報（【００２４】）にも記載されているように周知の技術的事項であることに鑑みれば，当業者が予測し得る範囲内のものにすぎない。
　
（３）まとめ
　したがって、本願発明は、引用発明及び周知技術に基いて当業者が容易に発明をすることができたものである。
　
５　むすび
　以上のとおりであるから、本願発明は、引用発明及び周知技術に基いて当業者が容易に発明をすることができたものであり、特許法第２９条第２項の規定により特許を受けることができない。
　
第５　結言
　以上のとおり、本願発明は、引用発明及び周知技術に基いて当業者が容易に発明をすることができたものであり、特許法第２９条第２項の規定により特許を受けることができないから、その余の請求項に係る発明について論及するまでもなく、本願は拒絶すべきものである。
　
　よって、結論のとおり審決する。